(57)【要約】【課題】  優れた保形性、補修容易性を有する衣服等毛織物を編んだり、該毛織物の襟、レース部分、肩等部分や、マフラー等小物を編んだりするのに使用する新規の毛糸および該毛糸製の毛織物を提供することを目的とする。【解決手段】  器械力塑性を備えた合成樹脂材料からなる線条芯材が、毛縒り糸の数本をより合せて一本に綯うことにより毛糸主体に該毛糸主体の芯として内蔵され、上記線条芯材はポリエチレン、ポリエチレンと他のポリオレフィンとの混合物、エチレン単独重合体、エチレン・α−オレフィン共重合体から選択された素材製とされ、上記線条芯材と上記毛縒り糸はこれ等線条芯材、毛縒り糸が折曲機能を失わない状態に相互に止着されたことを特徴とする。【選択図】図２
0003123071.tif 000002
【実用新案登録請求の範囲】
【請求項１】
器械力塑性を備えた合成樹脂材料からなる線条芯材が内蔵されていることを特徴とする毛糸。
【請求項２】
毛縒り糸の数本をより合せて一本に綯うことにより毛糸主体が構成され、該毛糸主体の芯として毛縒り糸により囲まれた中心に上記線条芯材が内蔵されていることを特徴とする請求項１記載の毛糸。
【請求項３】
毛縒り糸の数本をより合せて一本に綯うことにより毛糸主体が構成され、各毛縒り糸にその芯として上記線条芯材が内蔵されていることを特徴とする請求項１記載の毛糸。
【請求項４】
上記線条芯材に毛糸主体を重らない状態に隙間なく巻きつけることにより構成されたことを特徴とする請求項１記載の毛糸
【請求項５】
上記線条芯材に毛縒り糸を重らない状態に隙間なく巻きつけることにより構成されたことを特徴とする請求項１記載の毛糸
【請求項６】
上記線条芯材の器械力塑性は、９０度曲げによる戻り角が３０度以下であることを特徴とする請求項１〜５いずれか一つの請求項記載の毛糸。
【請求項７】
上記線条芯材が、ポリエチレン、ポリエチレンと他のポリオレフィンとの混合物、エチレン単独重合体、エチレン・α−オレフィン共重合体から選択された素材製であることを特徴とする請求項１〜６いずれか一つの請求項記載の毛糸。
【請求項８】
上記線条芯材と上記毛縒り糸は、これ等線条芯材、毛縒り糸が折曲機能を失わない状態に相互に止着されたことを特徴とする請求項１〜７いずれか一つの請求項記載の毛糸。
【請求項９】
上記請求項１〜８のいずれか一つに記載の毛糸を使って織られたことを特徴とする毛織物。
【考案の詳細な説明】
【技術分野】
【０００１】  本考案は、手指で任意の形に曲げ整えたり直線条にしたりすることができるようにした地球環境にやさしい毛糸および該毛糸製の毛織物に関する。具体的には、優れた保形性、補修容易性を有する衣服等毛織物を編んだり、該毛織物の襟、レース部分、肩等部分やマフラー等小物を編んだりするのに使用する毛糸および該毛糸製の毛織物に関する。【０００２】  なお、本文中、「器械力塑性」とは、人力（じんりき）や、単純で小規模な道具を介して受けた外力を取り去っても歪（ひずみ）が残って変形したままの状態を保持する性質をいい、例えば金属製の線材が有している、手指の力で９０度曲げてから手放したときの戻り角が３０度以下好ましくは１５度以下であるというような性質をいう。
【背景技術】
【０００３】  毛糸は、手指で自由に曲げたり捻じったりできる性質を有することが特徴であり、ソフト感を有するセーター、衣服等毛織物あるいはその部分の提供に使用されているものである。一方、衣服等毛織物は、襟、裾等のレース部分、その他部分のように捲れ癖、折り癖のない綺麗な形に整えておきたい部位を有するものである。【０００４】  そこで、捲れ癖、折り癖を容易に補正できない状況になることを回避するために襟等編成部分を袋にしてその中に金属芯材等を入れたものが従前多く提供されている。【０００５】  しかしながら、上記衣服等毛織物に用いた金属芯材は、軽量化に向いていないという問題や、錆の発生が起り易いという問題、金属探知器による検査で反応するという問題がある上、廃棄時の焼却処理において金属芯材が残ってしまうという問題があった。また、近年は、これらが用済み後に廃棄されるときには、分別処理が難しいという問題があった。さらには、金属芯材を入れるための袋を作る煩わしさあるのみならず該袋があるために襟等編成部分が厚手になって不体裁になるというような問題もあった。【０００６】
【特許文献１】なお、本願出願人は、「器械力塑性を備えた非金属芯材を内蔵した毛糸」および「器械力塑性を備えた非金属芯材を用いた毛織物」について先行技術を調査したが、関連する先行技術文献を見出すことができなかった。
【考案の開示】
【考案が解決しようとする課題】
【０００７】  本考案は、上記のような諸問題を一挙に解消できる新規の毛糸および該毛糸製の毛織物を提供することを課題とする。
【課題を解決するための手段】
【０００８】  上記課題目的を達成するために、請求項１に係る毛糸にあっては、器械力塑性を備えた合成樹脂材料からなる線条芯材が内蔵されていることを特徴とする。【０００９】  したがって、請求項１に係る毛糸は、任意に所望の形にしたり、形の乱れを整えたり、好みの形を自由に創作して楽しんだりすることができる【００１０】  また、線条芯材が合成樹脂材料製であるので、軽量化ができ、発錆の危惧がないのみならず、分別せずに焼却することができる。また、金属探知器による検査では検知されないものを提供できる。【００１１】  請求項２に係る毛糸にあっては、請求項１に係る毛糸に関し、毛縒り糸の数本をより合せて一本に綯うことにより毛糸主体が構成され、該毛糸主体の芯として毛縒り糸により囲まれた中心に上記線条芯材が内蔵されていることを特徴とする。【００１２】  請求項３に係る毛糸にあっては、請求項１に係る毛糸に関し、毛縒り糸の数本をより合せて一本に綯うことにより毛糸主体が構成され、各毛縒り糸にその芯として上記線条芯材が内蔵されていることを特徴とする。【００１３】  請求項４に係る毛糸にあっては、上記線条芯材に毛糸本体を重らない状態に隙間なく巻きつけることにより構成されたことを特徴とする。【００１４】  請求項５に係る毛糸にあっては、請求項１に係る毛糸に関し、上記線条芯材に毛縒り糸を重らない状態に隙間なく巻きつけることにより構成されたことを特徴とする。【００１５】  請求項６に係る毛糸にあっては、請求項１〜５に係る毛糸に関し、上記線条芯材の器械力塑性が、９０度曲げによる戻り角が３０度以下であることを特徴とする。【００１６】  請求項７に係る毛糸にあっては、請求項１〜６に係る毛糸に関し、上記線条芯材の素材がポリエチレン、ポリエチレンと他のポリオレフィンとの混合物、エチレン単独重合体、エチレン・α−オレフィン共重合体から選択されたものであることを特徴とする。【００１７】  したがって、請求項７に係る多目的芯入り線条材によれば、効率よく良品を提供できる。【００１８】  請求項８に係る毛糸にあっては、請求項１〜７に係る毛糸に関し、上記線条芯材と上記毛縒り糸が、折曲機能を失わない状態に相互に止着されたことを特徴とする。【００１９】  したがって、請求項８に係る毛糸によれば、必要とする分ずつを鋏等で切り離したときには、毛糸主体の毛縒り糸が切り端から解れを起したりするようなことがなくなり、結果として細工し易くなり整形、保形、創作が容易にでき、仕上がりが良好で綺麗な毛織物およびその部品等を作成できる。【００２０】  請求項９に係る毛織物にあっては、上記請求項１〜８のいずれか一つに記載の毛糸を使って織られたことを特徴とする。
【考案の効果】
【００２１】  請求項１に係る毛糸は、器械力塑性を備えた合成樹脂材料からなる線条芯材が内蔵されているので、曲げてから手放し場合には、その曲げたままの状態を保持でき、仕上がりが良好な毛織物、毛織部分を容易に作ることができる。しかも、軽量化ができ、発錆の問題が解消できるのみならず金属探知器による検査で反応するという問題、焼却廃棄処理時の残灰に金属も残るという問題が解消でき、その上用済み後には分別処理をせずとも廃棄できる。【００２２】  請求項２に係る毛糸は、毛縒り糸の数本をより合せて一本に綯うことにより毛糸主体が構成され、該毛糸主体の芯として毛縒り糸により囲まれた中心に上記線条芯材が内蔵されていることを特徴とするので、上記請求項１に係る毛糸と同様の効果を得ることができる。【００２３】  請求項３に係る毛糸は、毛縒り糸の数本をより合せて一本に綯うことにより毛糸主体が構成され、各縒り糸にその芯として上記線条芯材が内蔵されていることを特徴とするので、上記請求項１に係る毛糸と同様の効果を得ることができる。【００２４】  請求項４に係る毛糸は、上記線条芯材に毛糸本体を重らない状態に隙間なく巻きつけることにより構成されたことを特徴とするので、上記請求項１に係る毛糸と同様の効果を得ることができる。【００２５】  請求項５に係る毛糸は、上記線条芯材に毛縒り糸を重らない状態に隙間なく巻きつけることにより構成されたことを特徴とするので、上記請求項１に係る毛糸と同様の効果を得ることができる。【００２６】  請求項６に係る毛糸は、上記器械力塑性は、９０度曲げによる戻り角が３０度以下であることを特徴とするので、適度な剛性を有し、形態保持性に優れた完成品を比較的容易に効率よく提供できる。【００２７】  請求項７に係る毛糸は、上記線条芯材は、その素材がポリエチレン、ポリエチレンと他のポリオレフィンとの混合物、エチレン単独重合体、エチレン・α−オレフィン共重合体から選択されたものであることを特徴とするので、器械力塑性に優れた完成品の提供が効率よく比較的容易にでき、良品を提供できる。【００２８】  請求項８に係る毛糸は、上記線条芯材と上記毛縒り糸は、これ等線条芯材、毛縒り糸が折曲機能を失わない状態に相互に止着されたことを特徴とするので、この請求項８に係る毛糸によれば、必要とする分ずつを鋏やカッター等で切り取っても毛糸本体の毛縒り糸が切り端から解れ（ホツレ）を起したりするようなことがなくなり、結果として細工し易くなり創作が容易にでき、仕上がりが良好で綺麗な二次製品（毛織物、その部品およびマフラー等織物製小物）を効率よく作成できる。【００２９】  請求項９に係る毛織物は、上記請求項１〜８のいずれか一つに記載の毛糸を使用しているから、上記諸効果を享受できる。
【考案を実施するための最良の形態】
【００３０】  図１は、本考案の第１実施の形態に係る毛糸を示す。この第１実施の形態に係る毛糸１は、器械力塑性を有する合成樹脂材からなる一本の線条芯材２と、毛縒り糸３ａ、３ｂ、３ｃの三本をより合せて一本に綯うことにより得た毛糸主体４とにより構成され、該毛糸主体４の芯として縒り糸３ａ、３ｂ、３ｃにより囲まれた中心に上記線条芯材２を内蔵してあるものである（請求項２対応）。【００３１】  図２は、本考案の第２実施の形態に係る毛糸を示す。この第２実施の形態に係る毛糸５は、器械力塑性を有する合成樹脂材からなる三本の線条芯材６ａ、６ｂ、６ｃと、毛縒り糸７ａ、７ｂ、７ｃの三本をより合せて一本に綯うことにより得た毛糸主体８とにより構成され、各毛縒り糸７ａ、７ｂ、７ｃにその芯として上記線条芯材６ａ、６ｂ、６ｃが内蔵されているものである（請求項３対応）。この場合、上記線条芯材をすべての毛縒り糸に内蔵する必要はなく、一本以上に内蔵して実施することは自由にできる。【００３２】  図３は、本考案の第３実施の形態に係る毛糸を示す。この第３実施の形態に係る毛糸９は、器械力塑性を有する合成樹脂材からなる一本の線条芯材１０と、毛縒り糸１１ａ、１１ｂ、１１ｃの三本をより合せて一本に綯うことにより得た毛糸主体１２とにより構成され、上記線条芯材１０に毛糸本体１２を重らない状態に隙間なく巻きつけることにより構成されたものである（請求項４対応）。【００３３】  図４は、本考案の第４実施の形態に係る毛糸を示す。この第４実施の形態に係る毛糸１３は、器械力塑性を有する合成樹脂材からなる一本の線条芯材１４に毛縒り糸１５の一本を重らない状態に隙間なく巻きつけることにより構成されたものである（請求項５対応）。【００３４】  なお、上記の各実施の形態に係る毛糸における上記線条芯材と上記毛縒り糸は、これ等線条芯材、毛縒り糸が折曲機能を失わない状態に適宜の接着剤を用いて相互に止着した状態で実施することができる。このように相互に止着した場合には、上記したように鋏やカッター等で切り取ってもホツレの状態を惹起しないから、極めて取り扱い易い利点がある。【００３５】  すなわち、上記の各実施の形態に係る毛糸を使用すれば、例えば図５に示すような、着用者が手指で任意に形を整える（変える）ことが容易にできる畦編み襟１６をもつスパニッシュ・カラーのコート１７等の提供が可能になる。また、本考案の毛糸でセーター等衣類の肩部分、その他を編成した場合には、保形用パット等を省くことができる。【００３６】  上記の器械力塑性を有する合成樹脂材料には、９０度曲げによる戻り角が３０度以下であるようにされた、ポリエチレン、当該ポリエチレンと他のポリオレフィンとの混合物、エチレン単独重合体、エチレン・α−オレフィン共重合体から選択したものが好ましい。なお、ポリエチレンは、高密度ポリエチレン、汎用ポリエチレンのどちらでもよい。【００３７】  上記では、９０度曲げによる戻り角を３０度以下にしてあるが、好ましくは２０度以下であり、より好ましくは１５度以下であるようにされてもよい。【００３８】  また、線条芯材は、その断面形状が円形、長円形、楕円、矩形、星形、その他の形状若しくは表面に突起が点在して設けられたもの���あってもよく、これらを複数並べたもの、撚り合わせたものであってもよい。また、太さは用途により適宜選択できるが、通常は断面積が０．３〜７ｍｍ２であることが望ましい。【００３９】  上記接着剤は、ホットメルトタイプを採用して実施しているが、上記線条芯材および毛縒り糸の折曲機能を維持できるものであれば他のタイプのものであってもよい。【００４０】  本考案は、上記実施の形態のみに限定されるものでなく、実用新案登録請求の範囲に記載された考案の精神を逸脱しない範囲において、種々の態様で実施することが可能である。また、本考案に係る毛糸を使用して平織、その他織り方で織り上げる方法を実行することによっても上記の襟、裾、レース等部分若しくは衣服全体を得ることができる。そして本考案はこれ等実施されたものにも及ぶものである。
【図面の簡単な説明】
【００４１】
【図１】第１実施の形態を示す一部分の拡大斜視図である。
【図２】第２実施の形態を示す一部分の拡大斜視図である。
【図３】第３実施の形態を示す一部分の拡大斜視図である。
【図４】第４実施の形態を示す一部分の拡大斜視図である。
【図５】使用例を示す斜視図である
【符号の説明】
【００４２】  １  第１実施の形態に係る線条材
２、６ａ、６ｂ、６ｃ、１０、１４  線条芯材
３ａ、３ｂ、３ｃ、７ａ、７ｂ、７ｃ、１１ａ、１１ｂ、１１ｃ、１５毛縒り糸
４、８、１２  毛糸主体
５  第２実施の形態に係る線条材
９  第３実施の形態に係る毛糸
１３  第４実施の形態に係る毛糸
１５  襟
１６  コート
【図１】
0003123071.tif 000003
【図２】
0003123071.tif 000004
【図３】
0003123071.tif 000005
【図４】
0003123071.tif 000006
【図５】
0003123071.tif 000007